(57)【特許請求の範囲】
【請求項１】
画像を形成するためのシート状記録媒体の搬送路に沿って複数の各色用電子写真記録部を直列に並べて配置し、前記各色用電子写真記録部に設けられた感光体と転写部材との間を搬送される前記シート状記録媒体にトナー像を転写するカラー画像形成装置において、
複数の前記各色用電子写真記録部から前記シート状記録媒体に働く張力を相殺するように、前記感光体の周速度が前記シート状記録媒体の搬送速度より遅く設定された単数又は複数の前記各色用電子写真記録部の組と、前記感光体の周速度が前記シート状記録媒体の搬送速度より速く設定された単数又は複数の前記各色用電子写真記録部の組とを前記シート状記録媒体の搬送方向に交互に配列したことを特徴とするカラー画像形成装置。
【発明の詳細な説明】
【技術分野】
【０００１】
この発明は、シート状の記録媒体上に電子写真方式による印刷が可能な、カラー画像形成装置に関する。
【背景技術】
【０００２】
近年、携帯電話の普及や、クレジットカードの利用拡大などに伴い、顧客に送付する請求書の印刷量が増大している。また、各企業でも売上向上を目的とした、顧客向けのコマーシャルプリントのダイレクトメールも増大している。
【０００３】
これら請求書やコマーシャルプリント等を印刷する装置に対しては、請求書やコマーシャルプリント等の性格から、短期間で大量に処理することが要求されると共に、請求書やコマーシャルプリント等に各顧客に合った情報を載せる必要があるので可変情報を印字できることが要求されている。このため、請求書やコマーシャルプリント等を印刷する場合には、電子写真技術を利用した連続用紙プリンターを用いるのが普通である。
【０００４】
一般に、請求書やコマーシャルプリント等を印刷する電子写真技術を利用した連続用紙プリンターは、黒の単色で印刷する装置として構成されている。このため、多色刷の請求書やコマーシャルプリント等を作成する場合には、事前にカラー印刷を施した連続用紙を用意し、この連続用紙に対して電子写真技術を利用した連続用紙プリンターで印刷するという手間の掛かる作業が必要となっていた。
【０００５】
このような多色刷の請求書やコマーシャルプリント等を作成する場合の連続用紙に対する事前印刷は、少なくとも連続用紙のロール１本単位で行わなければならないため、最終印字結果の量がロール１本単位の量に比べて少量であるものに対してこの手段を用いると用紙に無駄が生じるため不向きである。
【０００６】
また、この多色刷の請求書やコマーシャルプリント等を作成する手段では、違うフォームに印字しようとする度に、電子写真技術を利用した連続用紙プリンターに対して、所要のフォームに事前印刷された連続用紙を架け替える作業をしなければならない。
【０００７】
そこで、多色刷の請求書やコマーシャルプリント等を容易に作成できる高速連続紙カラープリンターの実用化が望まれている。
【０００８】
通常用いられている電子写真技術を利用したカラープリンターには、光の三原色である、イエロー（Ｙ）、マゼンダ（Ｍ）、シアン（Ｃ）と黒を用いた、４色タンデム式電子写真印刷装置がある。
【０００９】
このような電子写真印刷装置では、感光体上にトナー像を形成し、電荷を帯びた転写ロールによって、用紙を、回転している感光体のトナー像が形成されている表面に押し付けるようにして搬送する動作により、用紙にトナー像を転写して用紙上に所要の画像を形成している。
【００１０】
従来の電子写真印刷装置では、用紙にトナー像を転写する際に、転写ロールの周速である用紙の搬送速度と、感光体の回転速度との間に速度差を設けることで、より確実に転写する手段を設けたものが提案されている（例えば、特許文献１及び特許文献２参照。）。
【００１１】
ここで、前述した４色タンデム式電子写真連続紙プリンターに対して、各色のトナー像を用紙に転写する際に、それぞれ転写ロールによる用紙の搬送速度と感光体の回転速度との間に速度差を設けて確実に転写する手段を適用するため、４つの感光体の速度を転写ロールによる用紙の搬送速度（用紙搬送速度）に一定の増速量を加算した所定速度に統一するように構成することが考えられる。
【００１２】
このように構成した４色タンデム式電子写真連続紙プリンターでは、４つの感光体によって用紙に４色のトナー像の転写を行う際に、用紙が、４つの感光体における速度差の影響を受けて搬送方向にばらついた伸びを発生するため転写部で用紙の搬送速度がばらつくことに起因して印字位置ずれを生じ、用紙上に形成されるカラー画像に色ずれが発生して見栄えが悪くなるという問題がある。
【特許文献１】特開昭５７−７８５７６号公報
【特許文献２】特開平２−２６２１７５号公報
【発明の開示】
【発明が解決しようとする課題】
【００１３】
本発明は、上述の問題に鑑み、電子写真方式でカラー画像を形成する際に、転写部でシート状記録媒体の搬送速度のばらつきに起因した印字位置ずれを抑制しシート状記録媒体上に良好なカラー画像を形成可能とした、カラー画像形成装置を新たに提供することを目的とする。
【課題を解決するための手段】
【００１４】
本発明の請求項１に記載のカラー画像形成装置は、画像を形成するためのシート状記録媒体の搬送路に沿って複数の各色用電子写真記録部を直列に並べて配置し、前記各色用電子写真記録部に設けられた感光体と転写部材との間を搬送される前記シート状記録媒体にトナー像を転写するカラー画像形成装置において、複数の前記各色用電子写真記録部から前記シート状記録媒体に働く張力を相殺するように、前記感光体の周速度が前記シート状記録媒体の搬送速度より遅く設定された単数又は複数の前記各色用電子写真記録部の組と、前記感光体の周速度が前記シート状記録媒体の搬送速度より速く設定された単数又は複数の前記各色用電子写真記録部の組とを前記シート状記録媒体の搬送方向に交互に配列したことを特徴とする。
【００１５】
上述のように構成することにより、感光体の周速度がシート状記録媒体の搬送速度より遅く設定された単数又は複数の各色用電子写真記録部と、感光体の周速度がシート状記録媒体の搬送速度より速く設定された単数又は複数の各色用電子写真記録部の組とを、シート状記録媒体の搬送方向に交互に配列し、画像無しの転写動作において、隣接する各色用電子写真記録部の組の間でシート状記録媒体に働く張力を相殺させることにより、シート状記録媒体に働く張力を安定化してシート状記録媒体の伸びを安定化し、印字ずれの発生を軽減し、適正なカラー画像を形成できる。
【発明の効果】
【００２０】
本発明のカラー画像形成装置によれば、電子写真方式でカラー画像を形成する際に、転写部でシート状記録媒体の搬送速度のばらつきに起因した印字位置ずれを抑制しシート状記録媒体上に良好なカラー画像を形成することができるという効果がある。
【発明を実施するための最良の形態】
【００２１】
本発明の実施の形態に係わるカラー画像形成装置について、図１乃至図３により説明する。図１は、連続紙のカラー電子写真印刷装置を示す概略説明図で、この連続紙のカラー電子写真印刷装置は、未使用で長尺帯状のシート状記録媒体である連続紙１０を供給する用紙送り出し部１２から、画像形成済みの連続紙１０をストックする用紙巻き取り部１４へ至る搬送路上に、主搬送ローラ４４と、４色タンデム式電子写真用の記録部（印字部）１６と、定着部１８と、副搬送ローラ４６とを配置して構成する。
【００２２】
この４色の記録部１６には、搬送路に沿ってマゼンダ色用電子写真記録部（第１の印字部）２０、シアン色用電子写真記録部（第２の印字部）２２、イエロー色用電子写真記録部（第３の印字部）２４、ブラック色用電子写真記録部（第４の印字部）２６を直列に並べて配置する。なお、本明細書で印字部というときには、トナー像をシート状記録媒体に転写する転写部を含むものとし、印字というときには、画像形成を含むものとし、シート状記録媒体というときには、転写媒体を含むものとする。
【００２３】
定着部１８は、熱定着装置として構成するもので、図示しないが例えば、キセノンランプ等で強力なフラッシュライトを照射して加熱することによりトナー像を連続紙１０上に定着させるよう構成し、又はプレヒータ及びヒートローラを用いて加熱することにより定着させるよう構成してもよい。
【００２４】
用紙送り出し部１２には、未使用の連続紙１０を巻装した連続紙供給ロール２８を着脱可能に装填し、この連続紙供給ロール２８から連続紙１０を引き出して記録部１６側へ供給するよう構成する。
【００２５】
用紙巻き取り部１４には、画像形成済みの連続紙１０を巻装する連続紙巻き取りロール３０を取り外して持ち出し可能に装填し、定着部１８から排出された画像形成済みの連続紙１０を巻き取ってストックするよう構成する。
【００２６】
また、４色の記録部１６である、マゼンダ色用電子写真記録部２０、シアン色用電子写真記録部２２、イエロー色用電子写真記録部２４及びブラック色用電子写真記録部２６は、それぞれ感光ドラムである感光体３２ａ、３２ｂ、３２ｃ、３２ｄと、各対応する感光体３２ａ、３２ｂ、３２ｃ、３２ｄをそれぞれ帯電する帯電部３４ａ、３４ｂ、３４ｃ、３４ｄと、感光体３２ａ、３２ｂ、３２ｃ、３２ｄに各色の光像を書き込んで静電潜像を形成するための露光部３６ａ、３６ｂ、３６ｃ、３６ｄと、感光体３２ａ、３２ｂ、３２ｃ、３２ｄの静電潜像を各色のトナーで現像する現像部３８ａ、３８ｂ、３８ｃ、３８ｄと、感光体３２ａ、３２ｂ、３２ｃ、３２ｄ上のトナー像を連続紙１０に転写する転写部材である転写ローラ４０ａ、４０ｂ、４０ｃ、４０ｄと、感光体３２ａ、３２ｂ、３２ｃ、３２ｄ上の残留トナーを除去するクリーナー部４２ａ、４２ｂ、４２ｃ、４２ｄとを有する。
【００２７】
この４色の記録部１６では、現像部３８ａにイエロー色の現像剤を装填し、現像部３８ｂにマゼンダ色の現像剤を装填し、現像部３８ｃにシアン色の現像剤を装填し、現像部３８ｄにブラック色の現像剤を装填する。
【００２８】
さらに、この４色の記録部１６では、感光体３２ａに露光部３６ａによってイエロー色に対応した画像を照射して潜像を形成し、感光体３２ａに露光部３６ｂによってマゼンダ色に対応した画像を照射して潜像を形成し、感光体３２ａに露光部３６ｃによってシアン色に対応した画像を照射して潜像を形成し、感光体３２ａに露光部３６ｄによってブラック色に対応した画像を照射して潜像を形成する。
【００２９】
この後、この４色の記録部１６では、感光体３２ａの潜像を現像部３８ａによってイエロー色のトナー像に形成し、感光体３２ｂの潜像を現像部３８ｂによってマゼンダ色のトナー像に形成し、感光体３２ｃの潜像を現像部３８ｂによってシアン色のトナー像に形成し、感光体３２ｄの潜像を現像部３８ｄによってブラック色のトナー像に形成する。
【００３０】
すなわち、この４色の記録部１６では、感光体３２ａにイエロー色のトナー像が形成され、感光体３２ｂにマゼンダ色のトナー像が形成され、感光体３２ｃにシアン色のトナー像が形成され、感光体３２ｄにブラック色のトナー像が形成される。
【００３１】
よって、用紙送り出し部１２から引き出した連続紙１０を４色の記録部１６に搬送し、感光体３２ａと転写ローラ４０ａとの間を搬送されるときにイエロー色のトナー像が転写され、次に感光体３２ｂと転写ローラ４０ｂとの間を搬送されるときにマゼンダ色のトナー像が転写され、更に感光体３２ｃと転写ローラ４０ｃとの間を搬送されるときにシアン色のトナー像が転写され、最後に感光体３２ｄと転写ローラ４０ｄとの間を搬送されるときにブラック色のトナー像が転写される。
【００３２】
このように４色の記録部１６で、それぞれイエロー色のトナー像、マゼンダ色のトナー像、シアン色のトナー像、ブラック色のトナー像が重畳して転写された連続紙１０は、搬送路上を搬送されて定着部１８へ至り、熱定着されて画像の形成処理を終えてから用紙巻き取り部１４へ搬入され、連続紙巻き取りロール３０に巻装されてストックされる。
【００３３】
次に、上述した連続紙のカラー電子写真印刷装置において、連続紙１０にトナー像を転写する際に、転写ローラ４０ａ、４０ｂ、４０ｃ、４０ｄの周速である連続紙１０の搬送速度と、感光体３２ａ、３２ｂ、３２ｃ、３２ｄの回転速度との間に速度差を設けて転写効率を向上すると共に、転写ローラ４０ａ、４０ｂ、４０ｃ、４０ｄによる連続紙１０の搬送速度のばらつきに起因した印字位置ずれを抑制し連続紙１０上に良好なカラー画像を形成するための印字ずれ防止手段について説明する。
【００３４】
この図１に示す連続紙のカラー電子写真印刷装置における印字ずれ防止手段では、４色の記録部１６に一列に並べて配置されている連続紙１０の搬送方向上流側から半数に当たる２個目までのマゼンダ色用電子写真記録部（第１の印字部）２０と、シアン色用電子写真記録部（第２の印字部）２２とにおける、感光体３２ａと３２ｂとの感光体回転速度を、転写ローラ４０ａと４０ｂとによる連続紙の搬送速度に対して相対的に、速度Δだけ遅
くなるように構成する。
【００３５】
また、この印字ずれ防止手段では、４色の記録部１６に一列に並べて配置されている連続紙１０の搬送方向下流側から半数に当たる２個目までのイエロー色用電子写真記録部（第３の印字部）２４と、ブラック色用電子写真記録部（第４の印字部）２６とにおける、感光体３２ｃ、３２ｄとの感光体回転速度を、転写ローラ４０ｃ、４０ｄとによる連続紙の搬送速度に対して相対的に、速度Δだけ早くなるように構成する。
【００３６】
このように構成した場合には、搬送路上で連続紙１０に弛みを生じることを防止できる。
【００３７】
この印字ずれ防止手段では、複数の印字部における感光体の回転速度を各々搬送速度から速度Δだけ遅くし、他の印字部における感光体の回転速度を各々搬送速度から速度Δだ
け速くすることにより転写部で発生する用紙引き力を相殺し、主搬送ローラ４４とマゼンダ色用電子写真記録部（第１の印字部）２０との間での用紙張力を安定させることにより、連続紙１０の伸びを安定させ、印字ずれの軽減と改善を図る。
【００３８】
このため、この印字ずれ防止手段では、複数の印字部が偶数個あるときに、その偶数の半数個づつの２組に分けて、一方の組における感光体回転速度を搬送速度から速度Δだけ
遅くし、他方の印字部における感光体回転速度を搬送速度から速度Δだけ速く設定して、
転写部で発生する用紙引き力を相殺するよう構成する。
【００３９】
さらに、この印字ずれ防止手段では、複数の印字部が奇数個あるときに、その奇数から１を引いた数の半数個づつの２組に分けて、一方の組又は他方の組を１を加えた総数に設定し、一方の組における感光体回転速度を搬送速度から速度Δだけ遅くし、他方の印字部
における感光体回転速度を搬送速度から速度Δだけ速く設定して、転写部で発生する用紙
引き力を相殺するよう構成する。
【００４０】
なお、全体で複数の印字部を、一方の単数又は複数の印字部の組と、他方の単数又は複数の組とに分け、一方の組における感光体回転速度を搬送速度から速度Δだけ遅くし、他
方の組みの印字部における感光体回転速度を搬送速度から速度Δだけ速く設定して、転写
部で発生する用紙引き力を部分的に相殺するよう構成しても良い。
【００４１】
また、この印字ずれ防止手段では、複数の印字部を、感光体回転速度を搬送速度から速度Δだけ遅くする組と、感光体回転速度を搬送速度から速度Δだけ早くする組とに分けた
とき、これらの組が搬送路上で搬送方向上流側と搬送方向下流側とに組毎に分けて配置する場合の他に、単数又は複数の感光体回転速度を搬送速度から速度Δだけ遅くする印字部
と単数又は複数の感光体回転速度を搬送速度から速度Δだけ早くする印字部とを、搬送方
向に沿って交互に配置して構成しても良い。
【００４２】
次に、上述のように構成した図１に示す連続紙のカラー電子写真印刷装置における印字ずれ防止手段に係わる作用、効果について、図２により説明する。
【００４３】
ここで、この印字ずれ防止手段の作用及び効果について、図１に示す印字ずれ防止手段の構成の場合を示す図２（Ｂ）と、４個の印字部全てで感光体回転速度を連続紙の搬送速度から速度Δだけ早くした構成の場合を示す図２（Ａ）とを、対比して説明する。
【００４４】
図２（Ａ）に示す、４個の印字部全てで感光体回転速度を連続紙の搬送速度から速度Δ
だけ早くした構成の場合には、連続紙１０に対する印字のない状態で、連続紙１０に、感光体３２ａ、３２ｂ、３２ｃ、３２ｄと、帯電した転写ローラ４０ａ、４０ｂ、４０ｃ、４０ｄとの間のニップ力により、速度差Δに比例した用紙引き力ＴΔが作用する。
【００４５】
これは連続紙のカラー電子写真印刷装置で印字するときに連続紙１０に対し形成する画像無しの場合には、連続紙１０が転写ローラ４０ａ、４０ｂ、４０ｃ、４０ｄの印加電圧により感光体３２ａ、３２ｂ、３２ｃ、３２ｄに吸着しようとするため、感光体３２ａ、３２ｂ、３２ｃ、３２ｄの回転速度にならおうとする性質があるためである。
【００４６】
このため、感光体３２ａ、３２ｂ、３２ｃ、３２ｄの回転速度を、連続紙１０の搬送速度よりも速くなるように速度差を設定した場合には、形成すべき画像無しのときに、連続紙１０が主搬送ローラ４４によって搬送される搬送速度よりも速く送られることとなるので、連続紙１０に作用する張力が増加する。
【００４７】
図２（Ａ）に示す、４個の印字部全てで感光体回転速度を連続紙の搬送速度から速度Δ
だけ早くした構成の場合には、連続紙のカラー電子写真印刷装置で印字するときに最終出力が画像無しのときに連続紙１０に作用する張力が１つの感光体から受ける影響の４倍（４ＴΔ）となる。
【００４８】
すなわち、この連続紙のカラー電子写真印刷装置では、連続紙１０を搬送するために搬送路上における主搬送ローラ４４と副搬送ローラ４６との間で連続紙１０に初張力Ｔ０を与えているため、図２（Ａ）に示すように第１印字部乃至第４印字部に示す状態が重畳して、主搬送ローラ４４と第１印字部（マゼンダ色用電子写真記録部２０）との間に、最大でＴ０＋４ＴΔの張力が発生する（図２（Ａ）に向かって右端側のグラフに示す状態）。
これとは逆に、この連続紙のカラー電子写真印刷装置で連続紙１０に対し高密度画像を形成する場合には、連続紙１０と感光体３２ａ、３２ｂ、３２ｃ、３２ｄとの間にトナーが存在するため、感光体の回転速度に影響されることなく、用紙は自身の搬送速度を保とうとする性質がある。
【００４９】
このため、感光体３２ａ、３２ｂ、３２ｃ、３２ｄの回転速度を、連続紙１０の搬送速度よりも速くなるように速度差を設定した場合には、連続紙１０に対し高密度画像を形成するときに、連続紙１０が主搬送ローラ４４によって搬送される搬送速度に近い速度で送られることとなるので、連続紙１０に作用する張力の増加が少なくなる。
【００５０】
例えば、この連続紙のカラー電子写真印刷装置で連続紙１０に対し高密度画像を形成するときには、連続紙１０を搬送するための主搬送ローラ４４と副搬送ローラ４６とにより連続紙１０に作用させている初張力Ｔ０と略同じ張力Ｔ０が、主搬送ローラ４４と第１印字部（マゼンダ色用電子写真記録部２０）間に働くことになる。
【００５１】
よって、図２（Ａ）に示す構成の連続紙のカラー電子写真印刷装置では、印字動作中に画像無しの印字状態から高密度画像の印字状態に移行するとき又はその逆の印字状態に移行するときに、連続紙１０に作用する張力が最大４ＴΔも振れること（Ｔ０〜４ＴΔの範
囲で張力がばらつくこと）になり、この張力に比例して連続紙１０の伸びも変動する。そして、連続紙のカラー電子写真印刷装置では、印字動作中に用紙の伸びがばらつくと、たとえ現像部まで正確に画像を形成していても、転写部で用紙の搬送速度のばらつくため、印字ずれが発生する。
【００５２】
図２（Ａ）に示す、４個の印字部全てで感光体回転速度を連続紙の搬送速度から速度Δ
だけ早くした構成の連続紙のカラー電子写真印刷装置では、印字動作の開始時に画像無しの印字状態から始まるので、印字動作中に高密度画像の印字状態に移行する度に連続紙１０に作用する張力が最大４ＴΔも振れる状態が頻繁に繰り返されるので、用紙張力が不安
定となり用紙の伸びも不安定となってしまうため印字ずれが発生する確率が高い。
【００５３】
これに対し、本実施の形態に係わる図２（Ｂ）に示す第１及び第２印字部の感光体回転速度を連続紙１０搬送速度から速度Δだけ遅くし、第３及び第４印字部の感光体回転速度
を速度Δだけ速くする構成では、転写部で発生する用紙引き力ＴΔを相殺することになる
ので、主搬送ローラ４４とマゼンダ色用電子写真記録部（第１の印字部）２０との間での用紙張力が安定する。よって、用紙の伸びも安定するため、印字ずれの発生を軽減し、適正な画像を形成するように改善することができる。
【００５４】
すなわち、本実施の形態に係わる図２（Ｂ）に示す第１及び第２印字部の感光体回転速度を連続紙１０搬送速度から速度Δだけ遅くし、第３及び第４印字部の感光体回転速度を
速度Δだけ速くする構成では、図２（Ｂ）に向かって右端側のグラフに示すように、印字
動作中に画像無しの印字状態のときに張力の変動分が増速側と減速側とで打ち消しあうため、高密度画像の印字状態のときの張力と近似した張力の値にできるので、主搬送ローラ４４とマゼンダ色用電子写真記録部（第１の印字部）２０との間での用紙張力を安定化して用紙の伸びを安定化し、印字ずれの発生を軽減し、適正な画像を形成できる。
【００５５】
次に、上述のように構成したカラー電子写真印刷装置における印字ずれ防止手段を利用し、シート状記録媒体としての中間転写ベルト（無端転写媒体）を介して用紙に画像を形成する構成について、図３により説明する。
【００５６】
この図３に示す中間転写ベルト４８を用いたカラー画像形成装置としてのカラー電子写真印刷装置では、図１に示した連続紙のカラー電子写真印刷装置における搬送路上に在る連続紙１０の代わりに、無限軌道状に形成した中間転写ベルト４８の一部が配置されるように、中間転写ベルト４８の巻き掛け機構を構成する。なお、本明細書では、シート状記録媒体というときには、連続紙１０と中間転写ベルト４８とを含むものとする。
【００５７】
この中間転写ベルト４８の巻き掛け機構は、両端のプーリ５０Ａ、５０Ｂとの間に、中間転写ベルト４８を巻き掛け、中間転写ベルト４８の一部を、４色タンデム式電子写真用の記録部（印字部）１６を通る搬送路に沿って配置する。
【００５８】
さらに、この中間転写ベルトを用いたカラー電子写真印刷装置では、中間転写ベルト４８の巻き掛け機構における一方のプーリ５０Ａに転接する二次転写ローラ５２を配置する。
【００５９】
また、この中間転写ベルトを用いたカラー電子写真印刷装置では、所定サイズのシート状記録媒体である記録紙１０Ａを多数収納し一枚づつ記録紙を分離して搬出する用紙送り出し部５４から画像形成済みの記録紙１０Ａをストックする用紙集積部５６へ至る搬送路上に、搬送ローラ５８を配置し、中間転写ベルトの巻き掛け機構における一方のプーリ５０Ａと、これに転接する二次転写ローラ５２とを配置し、さらに定着部６０を配置する。
【００６０】
このように構成した中間転写ベルトを用いたカラー電子写真印刷装置では、中間転写ベルト４８を回転駆動するプーリ５０Ｂと、４色タンデム式電子写真用の記録部（印字部）１６における各感光体３２ａ、３２ｂ、３２ｃ、３２ｄとの間に速度差を設けることでより確実に転写する手段を構成すると共に、これらの間部分に例えば前述した図１に示す印字ずれ防止手段を構成することによって、第１及び第２印字部の感光体回転速度を中間転写ベルト４８の搬送速度から速度Δだけ遅くし、第３及び第４印字部の感光体回転速度を
速度Δだけ速くすることにより、中間転写ベルト４８に対する転写動作中に画像無し状態
のときに張力の変動分が増速側と減速側とで打ち消しあうようにして、高密度画像の状態のときの張力と近似した張力の値にし、中間転写ベルトの巻き掛け機構における他方のプーリ（二次転写ローラ５２が転接していない駆動用のプーリ）５０Ｂとマゼンダ色用電子写真記録部（第１の印字部）２０との間での中間転写ベルト４８の張力を安定化して、中間転写ベルト４８の伸びを安定化し、転写ずれの発生を軽減し、適正な画像を形成できる。
【００６１】
上述のように構成した中間転写ベルトを用いたカラー電子写真印刷装置では、４色の記録部１６で、それぞれイエロー色のトナー像、マゼンダ色のトナー像、シアン色のトナー像、ブラック色のトナー像が、中間転写ベルト４８上に重畳して転写され、二次転写ローラ５２によって、送り出し部５４から搬送されてきた記録紙１０Ａ上に二次転写され、搬送路上を搬送されて定着部１８で熱定着されて画像の形成処理を終えてから集積部５６へ搬出されてストックされる。
【００６２】
なお、この図３に示す中間転写ベルトを用いたカラー電子写真印刷装置では、所定サイズの記録紙１０Ａを用いたが、連続紙に二次転写するように構成しても良い。
【００６３】
また、図３に示す中間転写ベルトを用いたカラー電子写真印刷装置における以上説明した以外の構成、作用及び効果は、前述した図１に示す連続紙のカラー電子写真印刷装置と同様であるので、同一部材には同一符号を付すこととして、その詳細な説明を省略する。
【００６４】
なお、本発明は上述した実施の形態に限定されるものではなく、本発明の要旨を逸脱しない範囲で、その他種々の構成を取り得ることは勿論である。
【図面の簡単な説明】
【００６５】
【図１】本発明のカラー画像形成装置に係わる連続紙のカラー電子写真印刷装置の概要を示す概略構成図である。
【図２】本発明のカラー画像形成装置に設けた印字ずれ防止手段の作用及び効果の概要を例示する説明図である。
【図３】本発明のカラー画像形成装置に係わる中間転写ベルトを用いたカラー電子写真印刷装置の概要を示す概略構成図である。
【符号の説明】
【００６６】
１０  連続紙
１０Ａ      記録紙
１６  記録部
２０  マゼンダ色用電子写真記録部
２２  シアン色用電子写真記録部
２４  イエロー色用電子写真記録部
２６  ブラック色用電子写真記録部
３２ａ      感光体
３２ｂ      感光体
３２ｃ      感光体
３２ｄ      感光体
４０ａ      転写ローラ
４０ｂ      転写ローラ
４０ｃ      転写ローラ
４０ｄ      転写ローラ
４４  主搬送ローラ
４６  副搬送ローラ
４８  中間転写ベルト
５０Ａ      プーリ
５０Ｂ      プーリ
５２  二次転写ローラ
【図１】
0004720353.tif 000002
【図２】
0004720353.tif 000003
【図３】
0004720353.tif 000004